【手続補正書】
【提出日】平成16年6月25日(2004.6.25)
【手続補正１】
【補正対象書類名】明細書
【補正対象項目名】全文
【補正方法】変更
【補正の内容】
【書類名】      明細書
【発明の名称】  遊技機
【特許請求の範囲】
【請求項１】  遊技盤に、文字や画像等を表示して補助的遊技を行なう表示装置を設け、該表示装置を制御する表示制御基板を収納した基板ボックスを遊技盤の背面側に設けた遊技機において、
前記表示制御基板は、
検査機関で検査するための試射試験信号端子または前記基板ボックスへの異物の侵入を防止する防護部材を取り付け可能なランドを備え、
前記基板ボックスは、
前記ランドが存在する側の側壁の一部を切り取って開口部となし得る切り取り位置特定部を形成し、
該切り取り位置特定部は、前記基板ボックスの壁を脆弱構造とすることで構成され、
検査機関で検査する場合には、前記切り取り位置特定部に沿って前記基板ボックスの側壁を切り取って開口部を形成するとともに、前記ランドに試射試験信号端子を取り付け、販売される場合には、前記ランドに前記防護部材を取り付けることを特徴とする遊技機。
【請求項２】  前記ランドは、ピンを差し込んで半田付けするためのスルーホールを備え、
前記防護部材は、
前記基板ボックスの側壁に沿って延在する側壁部と、
前記試射試験信号端子のピン配列と互換性を持った固定部と、を具備し、
前記固定部を前記表示制御基板のスルーホールに半田付けして固定することを特徴とする請求項１に記載の遊技機。
【請求項３】  前記切り取り位置特定部は、前記基板ボックスの壁に薄肉部と厚肉部とを設けることで前記壁の部位により切断の容易度を異ならせたことを特徴とする請求項１または２に記載の遊技機。
【請求項４】  前記基板ボックス内の表示制御基板に設けられる試射試験信号端子は、前記基板ボックスに設けられる表示装置本体からずらした位置に設けるように構成したことを特徴とする請求項１から４のいずれかに記載の遊技機。
【発明の詳細な説明】
【０００１】
【発明の属する技術分野】
本発明は、表示装置を備えたパチンコ遊技機等の遊技機に関し、特に表示装置を制御する表示制御基板を収納する基板ボックスを改良したものに関する。
【０００２】
【従来の技術】
従来、パチンコ遊技機では、本体枠（外枠、機枠）に軸支された前面枠（内枠）の裏面に、遊技盤を収納する遊技盤収納フレームを取り付け、その遊技盤収納フレーム裏面に設けた裏機構盤や遊技盤裏面に各種制御装置を取り付けている。
この制御装置は、検査の容易化、各制御装置の開発の合理化、リサイクルの容易化、遊技制御装置の負担軽減などを図るために、機能別にユニット化されている。即ち、遊技領域内の役物等を制御する遊技制御装置、球排出装置を制御する排出制御装置、効果音の制御を行う音制御装置、遊技球の発射を制御する発射制御装置、液晶表示装置等の表示装置を制御する表示制御装置（表示制御基板）、ランプ等の制御を行なう装飾制御装置などである。更に、これらの各制御装置は、センサを含む各種電機部品や他の制御装置と電気的に配線接続される。
【０００３】
この様な構成からなるパチンコ遊技機は、予め検査機関において行われる試射試験等の検査に合格することが義務づけられており、従来は、検査機関において、必要とされるデータを取得するために、検査する機種毎にセンサ等を毎回新たに組み付けていた。また、最近では、検査機関での検査が容易となるようにする工夫が求められて来ており、例えばデータを取得するためのコネクタ接続可能な試射試験信号端子を各メーカーの遊技機に設けることが提案されている。
【０００４】
【発明が解決しようとする課題】
しかしながら、検査機関での検査を容易にするために上記試射試験信号端子を設けても、これが却って不都合となることもある。
すなわち、試射試験検査は、実際の遊技機と同じ構造の下で行うことという要請も満たす必要があり、このため、検査機関へ持ち込む試射試験用の遊技機と、量産販売される遊技機とでは、両者が同一の部品構成となっていることが条件とされる。ところが、販売される実際の遊技機では試射試験信号端子を必要としないために、その表示制御装置の基板ボックスの形状が試射試験用の遊技機のものと異なっている場合には、この条件を満たさないものとして扱われる。
【０００５】
また、試射試験の際の検査を容易にするために試射試験信号端子を設け易い構成にするとしても、遊技店で不正行為が行なわれ易い形態の遊技機となることは避けなければならない。
【０００６】
さらに、遊技機に試射試験信号端子を設けた場合、空きコネクタが付加されたことになることになるが、遊技店側からはこのような余計な空きコネクタが存在することは望まれていない。つまり、遊技店では遊技機に不慣れな店員等が保守点検を行う場合があり、その場合、空きコネクタが存在すると、そこに誤って別のコネクタを差し込んでしまい、遊技機が動作しない等のトラブルも起こり得るからである。
【０００７】
そこで、本発明の目的は、上記課題を解決し、実際に販売する遊技機と検査機関へ持ち込む試射試験用の遊技機とを同一構成としつつ、検査機関での検査を容易にする構成とした遊技機を提供することにある。
【０００８】
【課題を解決するための手段】
本発明は、上記目的を達成するために提案されたものであり、請求項１に記載のものは、遊技盤に、文字や画像等を表示して補助的遊技を行なう表示装置を設け、該表示装置を制御する表示制御基板を収納した基板ボックスを遊技盤の背面側に設けた遊技機において、
前記表示制御基板は、
検査機関で検査するための試射試験信号端子または前記基板ボックスへの異物の侵入を防止する防護部材を取り付け可能なランドを備え、
前記基板ボックスは、
前記ランドが存在する側の側壁の一部を切り取って開口部となし得る切り取り位置特定部を形成し、
該切り取り位置特定部は、前記基板ボックスの壁を脆弱構造とすることで構成され、
検査機関で検査する場合には、前記切り取り位置特定部に沿って前記基板ボックスの側壁を切り取って開口部を形成するとともに、前記ランドに試射試験信号端子を取り付け、販売される場合には、前記ランドに前記防護部材を取り付けることを特徴とする遊技機である。
【０００９】
請求項２に記載のものは、前記ランドは、ピンを差し込んで半田付けするためのスルーホールを備え、
前記防護部材は、
前記基板ボックスの側壁に沿って延在する側壁部と、
前記試射試験信号端子のピン配列と互換性を持った固定部と、を具備し、
前記固定部を前記表示制御基板のスルーホールに半田付けして固定することを特徴とする請求項１に記載の遊技機である。
【００１０】
請求項３に記載のものは、前記切り取り位置特定部は、前記基板ボックスの壁に薄肉部と厚肉部とを設けることで前記壁の部位により切断の容易度を異ならせたことを特徴とする請求項１または２に記載の遊技機である。
【００１１】
請求項４に記載のものは、前記基板ボックス内の表示制御基板に設けられる試射試験信号端子は、前記基板ボックスに設けられる表示装置本体からずらした位置に設けるように構成したことを特徴とする請求項１から３のいずれかに記載の遊技機である。
【００１２】
【発明の実施の形態】
以下、本発明を図示の実施形態に基づいて説明する。
図１は代表的な遊技機であるパチンコ遊技機（以下、単にパチンコ機１という。）の背面図、図２は遊技盤の正面図、図３は遊技盤の背面図である。
【００１３】
パチンコ機１は、図１に示すように、前後が開放した機枠５の前面開口部分に額縁状の前面枠６を開閉可能に一側方に軸支して取り付け、この前面枠６の裏面に、遊技盤２を収納する金属製の遊技盤収納フレーム３を取り付け、その遊技盤収納フレーム３の裏面に設けた裏機構盤３０に電源供給ユニット３５及び各種制御装置を取り付けている。また前面枠６の下部には、駆動用モータ及び発射杵から成る発射装置３６が設けられている。なお、本実施形態におけるパチンコ機１は側方にカードユニット４を並設してある。
【００１４】
上記した遊技盤には、図２に示すように、前面にガイドレール等の区画部材１６により区画されたほぼ円形状の遊技領域１７のほぼ中央に、始動口１９に入賞したことを条件として図柄合わせ遊技等の特別遊技（補助遊技の一種）を行う特図表示装置（特別図柄表示装置）１８を配設してあり、特図表示装置１８の下方には始動口１９を、また始動口１９の下方には特別遊技で大当りになると開いて遊技者にとって有利な状態に変換する変動入賞装置（アタッカー）２０をそれぞれ配設してある。また、始動口１９の左右両側には、それぞれ普図ゲート（普通図柄ゲート）２１，２１を配設してある。さらに、変動入賞装置２０が両側に具備している一般入賞口２３とは別体に、遊技領域１７内の左右両端部分に、一般入賞口であるサイド入賞口２３′，２３′を設けてある。この他に、遊技領域１７内の左右両端部分にはサイドランプ２４，２４を設けてある。
【００１５】
この様に、パチンコ機１は、遊技盤２の遊技領域１７に配設された始動口１９に球が入賞したことに基づき特別遊技である所定の抽選（本発明の補助遊技に相当）を行い、その抽選結果により遊技者に有利な特別遊技状態が行なえる遊技機であって、遊技盤２に、上記特別遊技状態になることに基づいて開放制御されて球の入賞が可能となる変動入賞装置２０を具備した構成となっている。
【００１６】
パチンコ機１の裏面側の構成について説明する。
図１において、上記前面枠６の裏面側に取り付けた裏機構盤３０には、球貯留タンク３１、球導出樋３２、球排出ユニット３３などを取り付け、球貯留タンク３１から導出した遊技球が球導出樋３２内で整列されながら球排出ユニット３３に流下案内され、貸し球や賞球として排出された後、球流下路３４を通って前面側の上皿や下皿に排出されるように構成してある。
【００１７】
また、遊技機裏面の中央から少し上方には、遊技盤２に取り付けられた特図表示装置１８の後部が位置している。この他に、遊技機裏面には、電源供給ユニット３５が設けられ、また、パチンコ機１における各種の制御を行う制御装置が機能別に分けて、即ち、遊技制御装置４０、表示制御装置（表示制御基板）４７、装飾制御装置４１、音制御装置４２、排出制御装置４３、発射制御装置４４等に分けて設けられ、中継基盤や接続ケーブルを介して電気的に接続されている。
このうち、表示制御装置４７は、本実施形態では上記特図表示装置１８と一体化され、その内部に表示制御基板２６として収納され、また、装飾制御装置４１は後述するように上記表示制御装置４７の背面に重ねた状態で取り付けられている。
【００１８】
遊技制御装置４０は、遊技の統括的な制御を行う制御装置である。そして、表示制御装置４７は、遊技制御装置４０との間で信号を送受信するとともに、特図表示装置１８の画像表示を制御する制御装置であり、特図表示装置１８に電源を供給している。
【００１９】
また、遊技盤２の背面には、図３に示すように、セーフ球を回収する球寄せとして機能する樹脂製の遊技盤裏面構成部材５０を取り付けてある。この遊技盤裏面構成部材５０は、上側遊技盤裏面構成部材５０Ａと下側遊技盤裏面構成部材５０Ｂとに分割されており、それぞれ、球詰まりが発生した際に内部が視認できるように、透明もしくは着色半透明の合成樹脂から構成されている。下側遊技盤裏面構成部材５０Ｂは、遊技盤裏面の少なくとも変動入賞装置の背後部分及びサイド入賞口の背後部分を背面から覆って、変動入賞装置及び各サイド入賞口が受け入れた入賞球が流下可能に構成した部材であり、始動口１９への入賞球を検出するための球センサ２５、変動入賞装置（アタッカー）への入賞球を検出するための球センサ４９ａ、変動入賞装置２０が両側に具備しているサイド入賞口への入賞球を検出するための球センサ４９ｂ、遊技領域内の左右両端部分のサイド入賞口への入賞球を検出するための球センサ７０を備えている。
【００２０】
上側遊技盤裏面構成部材５０Ａの背面には、特図表示装置１８のケースを兼ねて透明（クリア）な樹脂から成型された第１基板ボックス２７が取り付けられている。即ち、上側遊技盤裏面構成部材５０Ａに前後方向に貫通する開口部（図示せず）を開設し、この開口部に前面の液晶表示装置を挿入するようにして、特図表示装置１８のケースである第１基板ボックス２７を取り付け、そして、この第１基板ボックス２７の背面に、取付ベースを介して装飾制御装置４１のケースである第２基板ボックス５２を取り付ける。このようにして、表示制御装置４７は、上記特図表示装置１８のケースである第１基板ボックス２７内に表示制御基板２６の形で設けられ、また、装飾制御装置４１は、この第１基板ボックス２７の背面に重ねた状態で取り付けられた第２基板ボックス５２内に装飾制御基板の形で設けられる。
【００２１】
上側遊技盤裏面構成部材５０Ａの背面に取り付けられる特図表示装置１８は、表示制御装置４７と一体化した状態で取り付けられており、第１，第２カバー部材に２分割された基板ボックス２７内に、表示装置本体としての液晶表示装置（ＬＣＤ）と表示制御基板２６とを収納した表示制御ユニットから構成されている。
【００２２】
本実施形態における基板ボックス２７は、図４から図７に示すように、遊技機前後方向の前側を下とし背面側を上として、第１カバー部材としての上カバー部材２８と第２カバー部材としての下カバー部材２９に２分割され、該上カバー部材２８及び下カバー部材２９の上側の側壁にヒンジ機構、具体的には互いに係合して回動軸部２７ａを形成する軸部２９ｂ及び軸受部２８ｂを有し、この回動軸部２７ａを中心として上カバー部材２８が下方から上方に向けて開くようになっている。また、上カバー部材２８及び下カバー部材２９の側壁の両端側（四隅に対応する箇所のうちの３箇所）には、耳片状の取付部２８ａ、２９ａが突出形成されている。そして、上下のカバー部材２８、２９を閉じた場合、上記上カバー部材２８及び下カバー部材２９の取付部２８ａ、２９ａが互いに重なり合い、この取付部２８ａ、２９ａを止着手段としてのネジ２７ｇにより固定することで、基板ボックス２７を遊技盤裏面構成部材５０に固定している。なお、基板ボックス２７を閉じた際に、上カバー部材２８と下カバー部材２９の開動自由端（側壁２８ｃ、２９ｃ）側を仮止めするため、上カバー部材２８と下カバー部材２９の側壁中央部に仮固定部２７ｂを設けてあり、この仮固定部２７ｂは、上カバー部材２８と下カバー部材２９の夫々の側壁２８ｃ、２９ｃの一方（ここでは上カバー部材２８の側壁２８ｃ）に設けた係止爪部２７ｃと、他方（ここでは下カバー部材２９の側壁２９ｃ）に設けた係止受部２７ｄとから成る。
【００２３】
上記基板ボックス２７の前面、即ち下カバー部材２９の前面側には、一側から他側の手前までの領域に、前方に突出する形態で表示器収納凸部２７ｅが形成され、この表示器収納凸部２７ｅ内に液晶表示装置（ＬＣＤ）が納められるようになっている。また、基板ボックス２７の背面、即ち上カバー部材２８の背面には、表示制御ユニットに載置される装飾制御装置４１を固定するためのボス２７ｆが適数個突設され、これらに装飾制御装置４１が取り付けられる。
【００２４】
さて、上記した構成からなる基板ボックス２７内、正確には上カバー部材２８に、上記表示制御基板２６が設けられている。即ち、図４に示すように、下カバー部材２９に立てたボス上に表示制御基板２６が取り付けられて、その表示制御基板２６の位置（前後方向の高さ）は、上カバー部材２８内に在って且つ上カバー部材２８の開放端の近傍に表示制御基板２６が位置するようになっている。
【００２５】
この表示制御基板２６は、絶縁基板に導体箔による所定の配線パターンを形成し、これにＬＳＩ半導体チップ８２等の所定の電気部品を半田付けして実装してある。この配線パターンには、検査時に試射試験信号端子８０を半田付けするための取付部位であるランド２６ａ（図９（ａ））が形成され、これは上記基板ボックス２７の下面側から見て上記仮固定部２７ｂより片側半分（図５の右側半分）の領域であって、かつ、上記基板ボックス２７の背面側から見て基板ボックス２７の下面（側壁２８ｃに接近した側）に設けられている。即ち、表示制御基板２６に設けられる試射試験信号端子８０は、基板ボックス２７に設けられる液晶表示装置（ＬＣＤ）つまり表示器収納凸部２７ｅからずれた位置に設けられており、試射試験信号端子用の回路を新たに設けやすくしてある。そして、この試射試験信号端子用のランド２６ａには、検査時に試射試験信号端子８０のピン８１（図９（ｂ））を差し込んで半田付けするためのスルーホールが設けられている。
【００２６】
一方、上記構成の基板ボックス２７には、検査時に内部の表示制御基板２６ａに設けられる試射試験信号端子８０に対応する部分に、切り取って開口部８４（図４）となし得る領域境界を明示する切り取り位置特定部８３が具備されている。このように基板ボックス２７に切り取り位置特定部８３を明示しておくと、表示制御基板２６に試射試験信号端子８０を取り付けるために、基板ボックス２７の一部を切り取って開口部８４を形成しようとした場合に、例えば上カバー部材２８を外した状態で切断する際に、どこを切断すればよいのかがすぐに把握できることになる。
【００２７】
この実施形態の場合、上記切り取り位置特定部８３は、表示制御基板２６が位置する上カバー部材２８の開放端側の側壁２８ｃに設けられており、その位置は、側壁２８ｃの領域の仮固定部２７ｂよりも試射試験信号端子８０のある側、すなわちランド２６ａの存在する側（図５の右側）である。また、開口部８４（図４）の領域境界を明示する切り取り位置特定部８３の形状は長方形であって、図８（ａ）に示すように、その長い方の二辺のうち、一辺８３ａが上カバー部材２８の背面側に近い側に位置し、他の長い方の一辺８３ｂが上カバー部材２８の開放端により形成され、また短い方の二辺のうち、一辺８３ｃが仮固定部２７ｂ側にて上カバー部材２８の開放端に略直角に延在し、他の短い方の一辺８３ｄが、上記取付部２８ａより内側であって且つ上カバー部材２８の右側壁に近い側にて上カバー部材２８の開放端に略直角に延在している。
【００２８】
図５の実施形態の場合、切り取り位置特定部８３は、図８（ｂ）に示すように、ミシン目８６により構成されており、その形状は長方形であって、各辺は図８（ａ）と同じである。即ち、上カバー部材２８の開放端による一辺８３ｂを除く他の三辺８３ａ、８３ｃ及び８３ｄは、全てミシン目８６により構成されている。なお、このミシン目構造における各ミシン目８６の大きさは、そこから基板ボックス２７内にドライバーなどの異物が挿入し得ない程度の大きさになっており、これにより不正防止をかねた脆弱な構造となっている。
【００２９】
基板ボックス２７は上記のように構成されており、遊技機を検査機関に搬入する際には、図に示すように、基板ボックス２７を上下のカバー部材２８、２９に分離し、その上カバー部材２８の側壁２８ｃをニッパー等の単純な工具により上記切り取り位置特定部８３に沿って切断し、開口部８４を形成する。そして、図９（ａ），（ｂ）及び図１０（ａ），（ｂ）に示すように、表示制御基板２６のランド２６ａに試射試験信号端子８０のピン８１を半田付けして固定する。そして、基板ボックス２７を一体化して元に戻し、図１に示すように、試射試験信号端子８０を構成する雌コネクタに雄コネクタ８８を接続し、配線８９を介して必要とされるデータを取得し、検査を実行する。
【００３０】
図７及び図１０に、この試射試験信号端子８０を取り付けた後の状態を示す。図示するように、上記切り取り位置特定部８３に沿って切り欠くと、開口部８４から試射試験信号端子８０の一部が突出するが、その突出量は取付部２８ａ、２９ａよりも小さくなっているため、試射試験信号端子８０（雌コネクタ）が直接的に他の物体と衝突することがない。従って、表示制御ユニットの搬送や遊技盤への組み付け等でコネクタが衝突などしないので、衝突によるコネクタの断線などが防止できる。また、試射試験信号端子８０はその一部がある程度突出する構成となっているので、コネクタの接続の際に接続しやすくなる。
【００３１】
上記した実施形態によれば、試射試験用の遊技機と、実際に販売する遊技機とを全く同じ部品構成とすることができ、検査の前提条件を満足させることができると共に、またメーカーにとっては遊技機のコストダウンに寄与することができる。また、切り取る位置が明示されていることで、例えば上カバー部材を外した状態で切断する際に、何処を切断すればよいのかが直ちに把握することができる。また、切りやすくなっていることで、ニッパー等の単純な工具にて容易に切断が可能である。
【００３２】
上記実施形態では、切り取り位置特定部８３がミシン目構造である場合について説明したが、ミシン目構造のほか、図８に示すような他の構成とすることもできる。
図８（ａ）は、切り取り位置特定部８３をシルク印刷ライン８５により構成して、破断する位置を明示したものであり、そのシルク印刷ライン８５が描く開口部８４の形状は上記図８（ｂ）の場合と同じ長方形であって、上カバー部材２８の開放端による一辺８３ｂを除く他の三辺８３ａ、８３ｃ及び８３ｄは、全てシルク印刷ライン８５により構成されている。
【００３３】
図８（ｃ）は、切り取り位置特定部８３を肉薄形成部８７により構成して、破断する位置を明示したものであり、その肉薄形成部８７が描く開口部８４の形状は上記図８（ｂ）の場合と同じ長方形であって、上カバー部材２８の開放端による一辺８３ｂを除く他の三辺８３ａ、８３ｃ及び８３ｄは、肉薄形成部８７により構成されている。
【００３４】
図８（ｄ）は、切り取り位置特定部８３の形状を上記と同じ長方形としつつ、その長い方の二辺のうちで上カバー部材２８の背面側に近い側に位置する一辺８３ａを薄肉形成部８７で形成し、他の長い方の一辺８３ｂは上カバー部材２８の開放端により形成し、また短い方の二辺、即ち仮固定部２７ｂ側に位置する一辺８３ｃと、上記上カバー部材２８の右側壁に近い側に位置する他の一辺８３ｄとを、シルク印刷ライン８５により構成した例である。即ち、切り取り位置特定部８３が、前記基板ボックス２７の壁のうちでその部位により切断の容易度を異ならせた状態で形成されている。
【００３５】
このように構成すると、基板ボックス２７の側壁２８ｃの一部を切り取り位置特定部８３に沿って切断しようとしたとき、切断操作の容易な箇所である仮固定部２７ｂ側の一辺８３ｃと基板ボックス端部側の一辺８３ｄでは厚肉の切断しにくい構造となり、切断操作のしにくい箇所である基板ボックス内側では切断が容易な薄肉の構造が得られることになる。そこで、別途のこぎり等による切断作業を行う場合、通常では切断操作のしにくい基板ボックス内側の箇所（一辺８３ａ）も、薄肉形成部８７に形成されていることから、のこぎり等によることなく、ニッパー等の簡単な工具で容易に切断することができる。また、この場合、厚肉部分を切断した後で手曲げ作業等で簡単に折り曲げて切断できるようにしても良い。
【００３６】
図１１に本発明の他の実施形態を示す。これは、上カバー部材２８の側壁２８ｃに沿って延在する側壁部９１と、試射試験信号端子８０のピン配列と互換性を持った固定部９２とを具備した防護部材９０を用意し、試射試験信号端子８０が設けられない場合には、この防護部材９０を、表示制御基板２６に設けたランド２６ａのスルーホールに半田付けして固定するようにしたものである。
【００３７】
このように構成すると、試射試験信号端子８０が設けられない、即ち、実際に販売される遊技機の場合において、防護部材９０が、基板ボックス２７内の表示制御基板２６に半田付けして固定され、その防護部材９０の側壁部９１が、図１１（ｂ）及び図９（ｃ）に示すように、上カバー部材２８の側壁２８ｃに沿って延在するので、例えば、側壁２８ｃの脆弱な薄肉部（図１１（ｂ））を破って外部からの異物を侵入させようとしても、その異物の挿入を側壁部９１で阻止することができる。このため、側壁２８ｃの薄肉部を利用した不正を防止することができる。また、表示制御基板２６に設けたランド２６ａはそのスルーホールに防護部材９０が半田付けされて埋まっているので、不正な目的で後からランド２６ａに試射試験信号端子８０に類似のものを設けようとしても、防護部材９０を除去しない限り設けることができないので、不正を一層確実に防止することができる。したがって、新たに設けられた脆弱部分に対する不正行為を抑制することが可能となる。
【００３８】
なお、表示制御基板２６に設けられる試射試験信号端子８０から出力される信号としては、表示制御装置４７で管理する信号が出力されても良いし、また遊技制御装置４０で管理する信号をこの表示制御装置４７の試射試験信号端子８０を経由して出力するようにしても良い。
【００３９】
また、遊技店に納めるパチンコ機１について、試射試験信号端子８０を予め表示制御基板２６上に半田付けした状態で基板ボックス２７内に収納するようにしても良い。この場合、試射試験信号端子８０は、基板ボックス２７の側壁２８ｃに衝突しない内側の位置に取り付けて完全に基板ボックス２７により内包されて、試射試験信号端子８０を含んだまま基板ボックス２７が閉じられる構成とする。遊技店では、切り取り位置特定部８３が明示された基板ボックス２７は一切加工せずに試射試験信号端子８０は未使用のままであり、検査機関で検査する場合は、切り取り位置特定部８３が明示された基板ボックス２７を前記した操作により加工するだけで試射試験信号端子８０が利用できる。この様に構成すると、遊技店に販売する遊技機と検査機関へ持ち込む遊技機とが同一構成となる。
【００４０】
なお、本発明は、パチンコ機１に限定されるものではなく、例えば、雀球式遊技機、アレンジボール式遊技機などでもよい。
【００４１】
さらに、前記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【００４２】
【発明の効果】
以上説明したように本発明によれば、次の効果を奏する。
請求項１に記載の発明によれば、基板ボックスは、ランドが存在する側の側壁の一部を切り取って開口部となし得る切り取り位置特定部を形成し、該切り取り位置特定部を脆弱構造により形成するので、切り取り位置を明示でき、基板ボックス内の表示制御基板のランドに試射試験信号端子を取り付けるために、試射試験信号端子に対応する部分を切り取って開口部を形成しようとした場合に、どこを切断すればよいのかがすぐに把握することができる。また、切断しようとする際には切り取り位置特定部に沿って切断しやすい。
【００４３】
したがって、検査機関での検査の容易化を図ることができ、また、検査用遊技機と市販用遊技機とを同じ部品で製造することができて合理的である。さらに、市販用遊技機では、表示制御基板のランドに防護部材を取り付けるので、例えば、基板ボックスの側壁の脆弱な薄肉部を破って外部からの異物を侵入させようとしても、その異物の挿入を防護部材で阻止することができる。このため、側壁の薄肉部を利用した不正を防止することができる。
【００４４】
請求項２に記載の発明によれば、基板ボックスの側壁に沿って延在する側壁部と、試射試験信号端子のピン配列と互換性を持った固定部とを具備する防護部材をランドのスルーホールに半田付けして固定するので、側壁の脆弱な薄肉部からの異物の侵入を側壁部で阻止することができる。
【００４５】
さらに、不正な目的で後からランドに試射試験信号端子に類似のものを設けようとしても、防護部材を除去しない限り設けることができないので、不正を一層防止することができる。
【００４６】
請求項３に記載の発明によれば、切り取り位置特定部が薄肉部と厚肉部とを設けることで部位により切断の容易度を異ならせて設けられるので、基板ボックスの壁のうちで切断の容易な箇所（例えば、基板ボックス端部など）では切断しにくい構造（例えば厚肉）にし、切断のしにくい箇所（例えば、基板ボックス内側）では切断が容易な構造（例えば薄肉）とすることが可能である。
【００４７】
また、このように構成すると、基板ボックス内側などの切断のしにくい箇所を切断しようとしたとき、通常では別途のこぎり等による切断作業が必要となる場合でも、この発明では当該切断のしにくい箇所については薄肉等の切断が容易な構造になっているため、別途のこぎり等による手間が必要とすることなく、ニッパ等の簡単な工具で容易に切断することが可能となる。
【００４８】
請求項４に記載の発明によれば、試射試験信号端子を表示装置本体からずらした位置に設けるように構成しているので、試射試験信号端子用の回路を新たに設ける場合にも、容易に設けることができる。
【図面の簡単な説明】
【図１】
本発明のパチンコ機の背面図である。
【図２】
遊技盤の正面図である。
【図３】
遊技盤を示す背面図である。
【図４】
基板ボックスを分割して切り取り位置特定部より開口部を形成し且つ試射試験信号端子を設けた状態を示す説明図である。
【図５】
表示制御ユニットの基板ボックスを示す下面図である。
【図６】
表示制御ユニットの基板ボックスを示す背面図である。
【図７】
基板ボックスを一体化して元に戻した状態を示したもので、（ａ）は背面図、（ｂ）は下面図である。
【図８】
切り取り位置特定部の各実施形態を示す基板ボックスの下面図であり、（ａ）シルク印刷によるもの、（ｂ）はミシン目によるもの、（ｃ）は薄肉部によるもの、（ｄ）は脆弱な薄肉部とシルク印刷とにより切断の容易度を異ならせたものである。
【図９】
基板ボックス内の一部を示した背面図であり、（ａ）は表示制御基板に試射試験信号端子を取り付ける前の状態を、（ｂ）は試射試験信号端子を取り付けた後の状態を、（ｃ）は防護部材を取り付けた後の状態を示した図である。
【図１０】
表示制御基板に試射試験信号端子を取り付けた後の状態を示した側面図であり、（ａ）は上カバー部材を取り外した状態を、（ｂ）は上カバー部材を取り付けた後の状態を示した図である。
【図１１】
表示制御基板に防護部材を取り付けた後の状態を示した側面図であり、（ａ）は上カバー部材を取り外した状態を、（ｂ）は上カバー部材を取り付けた後の状態を示した図である。
【符号の説明】
１  パチンコ機
２  遊技盤
３  遊技盤収納フレーム
４  カードユニット
５  機枠
６  前面枠
１６  区画部材
１７  遊技領域
１８  特図表示装置（特別図柄表示装置）
１９  始動口
２０  変動入賞装置
２１  普通図柄ゲート
２３  一般入賞口
２３′サイド入賞口
２４  サイドランプ
２５  球センサ
２６  表示制御基板
２６ａ  ランド
２７  第１基板ボックス
２７ａ  回動軸部
２７ｂ  仮固定部
２７ｃ  係止爪部
２７ｄ  係止受部け
２７ｅ  表示器収納凸部
２７ｆ  ボス
２７ｇ  ネジ
２８  上カバー部材
２８ａ  取付部
２８ｂ  軸受部
２８ｃ  側壁（開動作端）
２９  下カバー部材
２９ａ  取付部
２９ｂ  軸部
２９ｃ  側壁（開動作端）
３０  裏機構盤
３１  球貯留タンク
３２  球導出樋
３３  球排出ユニット
３４  球流下路
３５  電源供給ユニット
３６  発射装置
４０  遊技制御装置
４１  装飾制御装置
４２  音制御装置
４３  排出制御装置
４４  発射制御装置
４７  表示制御装置
４９ａ、４９ｂ  球センサ
５０  遊技盤裏面構成部材（球寄せ）
５０Ａ  上側遊技盤裏面構成部材
５０Ｂ  下側遊技盤裏面構成部材
５２  第２基板ボックス
７０  球センサ
７４  球センサ
８０  試射試験信号端子
８１  ピン
８２  半導体チップ
８３  切り取り位置特定部
８４  開口部
８５  シルク印刷ライン
８６  ミシン目
８７  薄肉形成部
８８  雄コネクタ
８９  配線
９０  防護部材
９１  側壁部
９２  固定部